(57)【特許請求の範囲】
【請求項１】
ボトムフィルムを深絞りして成形したボトムトレイに、被包装物を入れた後、トップフィルムを被せ、ボトムフィルムとトップフィルムの重なり部をシールしてなる深絞り包装容器の、ボトムフィルムまたは／およびトップフィルムの端部に重なり部の一部を未シール部とした開封口において、該未シール部を構成するフィルムに指掛け用の孔である切込みを入れたことを特徴とする深絞り包装容器の開封口。
【請求項２】
端部は、ボトムフィルムの端部である請求項１記載の開封口。
【請求項３】
端部は、トップフィルムの端部である請求項１記載の開封口。
【請求項４】
端部は、ボトムフィルムまたは／およびトップフィルムの角部である請求項１記載の開封口。
【請求項５】
切込みは、馬蹄型、Ｕ字形または鉤型である請求項１乃至請求項４のいずれか一項に記載の開封口。
【発明の詳細な説明】
【技術分野】
【０００１】
本発明は、包装体の開封口に関するものである。
【背景技術】
【０００２】
食品・医療用機器等を提供する流通・保管の工程において、その外観やおいしさ、衛生状態や安全性を保持するために、密封状態を保つ包装を施してある。包装容器の密封性を高めるためには、まずシール部の強化が必要であるが、これはシールが剥離した場合、内容物の流出、異物・雑菌混入、変質・腐敗につながるからである。
【０００３】
一例として、深絞り包装の場合、熱成形性の良いボトムフィルムを加熱しながら真空成形することにより被包装物に合わせたくぼみを作り、その中に被包装物を充填した後、トップフィルムを被せてシールし、その後個々の包装体にカットすることにより被包装物の密封状態を保つことができる。
【０００４】
この場合、被包装物を取り出すためには、この包装体を開封する必要があるが、従来は、図１３のように包装体の辺にある切込み部分の左右を摘み裂いて開封したり、図１４のように包装体の一端の未シール部分を摘んで左右または上下に引っ張り開封することで、被包装物である食品を取り出すことができる。
【０００５】
また、医療用機器の包装では、未シール部である開口端には、開封を容易にするためにサムカットが設けられている。サムカットとは、親指で摘む部分の一方を切り欠くことにより、他方の切り欠いていない端部を摘みやすくして、包装容器の開封性を高めるものである。
【０００６】
ここで、下記特許文献１には深絞り容器における易開封手段が開示されている。
【０００７】
図１５に示すように、該容器は、深絞り包装容器１のボトムトレイ２の周縁を外側に折り曲げてフラットなシール縁５２を形成すると共に、このボトムトレイ２をトップフィルム４で密封する際に、ヒートシール部分の一部に未シール部７、８を形成し、更に前記未シール部７、８にティアテープ５１の端を位置させると共に、前記トップフィルム未シール部８であって、ティアテープ５１の端の両側にノッチ５０、５０を入れ、さらにコーナーに未シール部分７、８を形成した深絞り包装容器１である。
【０００８】
開封に際しては、ノッチの入ったティアテープ５１の端を指先で摘み、ティアテープ５１をその長手方向に引き上げることにより、トップフィルム４はティアテープ５１に沿って切り裂かれて包装を開封することにより、容易に被包装物２０を取り出すことができる。
【先行技術文献】
【特許文献】
【０００９】
【特許文献１】特開平９−１４２５３５号公報
【発明の概要】
【発明が解決しようとする課題】
【００１０】
しかし、食品等包装容器を開封するときは、その食品を使用して調理しているため、手指に水や油脂等付着していることが多い。そのため、その包装を開封しようとしても手指が滑り、思うように包装を裂いたり、開いたりすることが難しい。さらに、手指に力を入れにくい高齢者には、その包装を開封して被包装物を取り出すことが困難である。
【００１１】
図１４に示すような深絞り容器の場合、ボトムトレイ２側のフィルムには、加熱成型を行うため、未延伸フィルムが使用されている。このため、ノッチ等により引き裂くことは困難であり、引き裂くと伸びてしまう。又、方向性のある積層フィルムも成型時の加熱でフィルムの延伸による方向性が損なわれ、方向性のある引裂性が得られず、成型性も非常に悪いものになる。
【００１２】
そこで、従来、深絞り包装袋は易開封性をもたせるために、トップフィルム４にはイージーピールフィルムを用いて袋の全周面のヒートシールを行い、隅の一部に未シール部分７、８を形成し、ここから開封する方法がとられている。
【００１３】
しかし、イージーピールオープンの包装とすると、開封は容易になるが、（１）現包装ラインで使用しているフィルムを使用することができず専用のイージーピールフィルムを仕入れる必要があり、（２）イージーピールフィルムは、適度に手で開封出来る様に調整してあるため、ヒートシール強度が弱く、内容物が重量物、味液、油等、含気の商品で重量のあるものの場合、生産・輸送段階においてイージーピール部分より剥離しやすく、（３）狭雑物シール性が悪いため、シール不良が発生しやすく、液もれ等生じる場合がある。
【００１４】
また、前記サムカットを包装容器に施した場合は、切り欠いた破片が、異物として被包装物に入り込む可能性があり、異物混入のチェック工程を強化する必要がある。
【００１５】
さらに、前記特許文献１に記載された発明は、包装体としてボトムフィルムとトップフィルム以外にティアテープ５１を必要とし、さらに、ティアテープ５１を挟み込み、その位置を決める必要があり、製造工程が複雑であった。
【００１６】
本発明の目的は前記従来例の不都合を解消し、包装体の密封性を維持しつつ、特殊な加工の付与・付属品の装着・特殊フィルムの使用・複雑な製造工程を必要とせず、はさみやナイフ等を使用しなくとも手指で簡単容易に包装体から被包装物を取り出すことができ、従来の密封性の高い包装容器に簡便に付加できる、開封口の提供をすることにある。
【課題を解決するための手段】
【００１７】
前記目的を達成するため請求項１記載の本発明は、ボトムフィルムを深絞りして成形したボトムトレイに、被包装物を入れた後、トップフィルムを被せ、ボトムフィルムとトップフィルムの重なり部をシールしてなる深絞り包装容器の、ボトムフィルムまたは／およびトップフィルムの端部に重なり部の一部を未シール部とした開封口において、該未シール部を構成するフィルムに指掛け用の孔である切込みを入れたことを要旨とするものである。
【００１８】
請求項１記載の本発明によれば、包装体の密封性を維持しつつ、特殊な加工の付与・付属品の装着・特殊フィルムの使用・複雑な製造工程を必要とせず、はさみやナイフ等を使用しなくとも、手指をフィルムの指掛け用の孔である切込みに引っ掛けて引くことで、ボトムフィルムとトップフィルムの重なり部のシールを剥し、簡単容易に包装体から被包装物を取り出すことができ、従来の密封性の高い包装容器に簡便に付加できる、開封口を提供することができる。
【００１９】
請求項２記載の本発明は、端部は、ボトムフィルムの端部であることを要旨とするものである。
【００２０】
請求項２記載の本発明によれば、開封口のボトムフィルムの未シール部の端部に指掛け用の切込みを入れたことにより、指掛け用の切込みは比較的硬いフィルム側にあり、これを指で引くことで、開封時に、人差し指や親指が片方又は両方共指掛け部に引っかかることにより、ボトムフィルムをしっかりと把持することができ、もう片方の親指と人差し指で摘んでいるトップのフィルムとの接着面から容易に引き剥がすことにより、開封して内容物を取り出すことができる。
【００２１】
請求項３記載の本発明は、端部は、トップフィルムの端部であることを要旨とするものである。
【００２２】
請求項３記載の本発明によれば、開封口のトップフィルムの未シール部の端部に指掛け用の切込みを入れたことにより、開封時に、人差し指や親指が片方又は両方共指掛け部に引っかかることにより、トップフィルムをしっかりと把持することができ、もう片方の親指と人差し指で摘んでいるボトムフィルムとの接着面から容易に引き剥がすことにより開封して、内容物を取り出すことができる。前記のとおり、指掛け用の切込みは比較的硬いフィルム側であるボトムフィルム側に設けることとなることが多いが、必ずしもボトムフィルムが硬いとは限らず、また、深絞り包装容器の包装フィルムへの印刷の位置によっては、消費者がトップフィルムを開封する可能性が強い場合、利便性が高くなる。
【００２３】
請求項４記載の本発明は、端部は、ボトムフィルムまたは／およびトップフィルムの角部であることを要旨とするものである。
【００２４】
請求項４記載の本発明によれば、包装容器を開封する可能性が高い角部から、開封容易な開封口を提供することができる。
【００２５】
請求項５記載の本発明は、切込みは、馬蹄型、Ｕ字形または鉤型であることを要旨とするものである。
【００２６】
請求項５記載の本発明によれば、切込み部の形状は、馬蹄型、Ｕ字形、鉤型等様々な線とできる。
【発明の効果】
【００２７】
以上述べたように本発明は、包装体の密封性を維持しつつ、特殊な加工の付与・付属品の装着・特殊フィルムの使用・複雑な製造工程を必要とせず、はさみやナイフ等を使用しなくとも手指で簡単容易に包装体から被包装物を取り出すことができ、従来の密封性の高い包装容器に簡便に付加できる、開封口を提供することができる。
【図面の簡単な説明】
【００２８】
【図１】本発明の開封口を設けた深絞り包装容器の１実施例を示す斜視図である。
【図２】本発明の開封口を設けた深絞り包装容器の製造ラインを示す説明図である。
【図３】本発明の開封口を設けた深絞り包装容器の製造工程を示す説明図である。
【図４】本発明の開封口を設けた深絞り包装容器の製造工程を示す説明図である。
【図５】本発明の開封口を設けた深絞り包装容器の製造工程を示す説明図である。
【図６】本発明の開封口を設けた深絞り包装容器の１実施例を示す正面図である。
【図７】本発明の開封口を設けた深絞り包装容器の１実施例を示す側面図である。
【図８】本発明の開封口を設けた深絞り包装容器の１実施例を示す正面図である。
【図９】本発明の開封口を設けた深絞り包装容器の１実施例を示す正面図である。
【図１０】本発明の開封口を設けた深絞り包装容器の１実施例を示す部分正面図である。
【図１１】本発明の開封口を設けた深絞り包装容器の開封方法を示す斜視図である。
【図１２】本発明の開封口を設けた深絞り包装容器の開封方法を示す斜視図である。
【図１３】従来例の包装容器を示す正面図である。
【図１４】従来例の包装容器を示す斜視図である。
【図１５】従来例の包装容器を示す斜視図である。
【発明を実施するための形態】
【００２９】
以下本発明を実施するための形態について説明するが、本発明はこれに限定されたものでないことは、言うまでもない。
【００３０】
以下図面について本発明の開封口を設けた深絞り包装容器１の実施の形態を詳細に説明する。
【００３１】
図１は本発明の開封口を設けた深絞り包装容器の１実施例を示す斜視図で、本発明は、ボトムフィルム３からなるボトムトレイ２と、トップフィルム４と、ボトムフィルム端部５のボトムフィルム未シール部７と、トップフィルム端部６のトップフィルム未シール部８のフィルムに設けられたボトムフィルム切込み部１１からなる。
【００３２】
図２から７に示すように、深絞り包装容器製造ライン３０の成形金型ステーション３１で、ボトムフィルム３を熱成形してボトムトレイ２とし、切込み加工部３２にてボトムフィルム３の深絞り包装容器１とした場合の、ボトムフィルム端部５のボトムフィルム未シール部７のフィルムに馬蹄形のボトムフィルム切込み部１１を設ける。
【００３３】
ボトムフィルム３が成形金型ステーション３１から切込み加工部３２に移動したところで、ボトムフィルム３の材質が硬質フィルムの場合は、フィルムの上部に固定されていたナイフに向かって下部に設置されたカウンターバー（鋼板）が上昇して、ボトムフィルム３にナイフがあたり、ボトムフィルム切込み部１１が成形される。
【００３４】
この場合、軟質のボトムフィルム３の場合等は、カウンターバーが上部から下降する機構とすることもできる。
【００３５】
さらに、切込み部は、ボトムフィルム端部５のボトムフィルム未シール部７のフィルムに設けたボトムフィルム切込み部１１のみならず、図８に示すように、トップフィルム端部６のトップフィルム未シール部８のフィルムにトップフィルム切込み部１２を設けてもよく、図示はしないが、双方に設けてもよい。
【００３６】
また、切込み部の位置は、深絞り包装容器の角部を含むボトムフィルム端部５のフィルムやトップフィルム端部６のフィルムのみならず、図９に示すように、製造される深絞り包装容器の形状により上部や、深絞り包装容器のフィルム上の任意の位置に設けることができる。
【００３７】
また、切込み部の形状は、図１０に示すように、馬蹄型以外、迂回する曲成または屈折した線であるＵ字形、鉤型等でもよい。
【００３８】
そして、充填エリア３６で開口部３４から成形・切込み加工後ボトムフィルム３３に、被包装物２０を充填した後、トップフィルム供給部３７から供給されたトップフィルム４が切込み加工後ボトムフィルム３３の上に被さり、フランジ部３５をシール金型ステーション４０でヒートシールした後、個々にカッティングして、本発明の開封口を設けた深絞り包装容器１となる。
【００３９】
深絞り包装容器のボトムフィルム３にはポリエチレン樹脂フィルム／ポリアミド樹脂フィルム／ポリエチレン樹脂フィルムや、ポリエチレン樹脂フィルム／ポリアミド樹脂フィルム等からなる未延伸のものを用いる。また、ポリエチレン樹脂フィルムの代わりに、ポリプロピレン樹脂フィルムその他の２００℃以下で癒着する低温癒着性フィルムも使用できる。ボトムフィルムは、成型性を要求されるため、ＣＮ／ＣＰＰ，ＣＮ／ＥＶＯＨ／ＰＥ等からなる伸びやすい未延伸フィルムを使用する。
【００４０】
一方、トップフィルム４はボトムフィルムのように包装容器本体の形状に成型しないため厚みがある。トップフィルム４としては、延伸ナイロン（ＯＮｙ）／ＬＬＤＰＥ、未延伸ポリプロピレン（ＣＰＰ）／ＯＮｙ／ＬＬＤＰＥ等の多層フィルムが使用される。
【００４１】
以上のとおり、ポリエチレン樹脂フィルム等からなる接着層は、ボトムフィルムとトップフィルムの相接する面の双方にある。
【００４２】
次に、本発明の使用法および動作について説明する。
【００４３】
図１１、図１２に示すように、本発明の開封口を開くためには、深絞り包装容器１のボトムフィルム未シール部７とトップフィルム未シール部８の間に指先を挿入して双方の未シール部分の間を開き、ボトムフィルム端部５に設けられたボトムフィルム切込み部１１に指を掛け、一方、トップフィルム端部６を指で摘み、左右に広げるように力を入れる。これによりシール部９がボトムフィルム３とトップフィルム４に分かれて開き、シール端部１０まで開くことにより、ボトムフィルム３を深絞りして成形したボトムトレイ２に充填された被包装物２０を取り出すことができる。
【００４４】
指掛け用の切込みを設けることにより、フィルムに切込み孔ができ、開封のために力を入れることによりシール部の抵抗により滑る指が、摘んだ平面状のフィルム上に指が引っかかり留まる部分ができる。
【００４５】
指掛け用の切込みは比較的硬いフィルム側であるボトムフィルム３側に設けることとなることが多いが、必ずしもボトムフィルムが硬いとは限らず、また、深絞り包装容器の包装フィルムへの印刷の位置によっては、消費者がトップフィルムを開封する可能性が強い場合、開封口のトップフィルム未シール部８のトップフィルム端部６のフィルムに指掛け用のトップフィルム切込み部１２を入れることにより、利便性が高くなる。
【００４６】
これにより、人差し指や親指が片方又は両方共指掛け部に掛かることにより、片側のフィルムをしっかりと把持することができ、もう片方の親指と人差し指で摘んでいる反対側のフィルムとの接着面から容易に引き剥がすことにより開封して、内容物を取り出すことができる。
【００４７】
これより、手指に水や油分等の付着している者や、子供や高齢者等の指の力の弱い者も、容易に包装容器を開封することができる。
【００４８】
より指が滑るのは、シール部分の面積が広く開閉により力を必要とする場合、シール強度が強い場合、フィルムの表面が滑りやすい素材の場合や、フィルムのしなやかさがなく指に対して反発する場合等がある。
【００４９】
本発明の開封口を設けた深絞り包装容器の被包装物２０としては、ハム、ベーコン、卵焼き、かまぼこ等の魚肉卵加工製品や、チーズ、メディカルの注射器・注射針等、食品・医療用機器等の幅広いものがある。
【産業上の利用可能性】
【００５０】
本発明の包装体の開封口を使用することで、該包装体の密封性を維持しながら、はさみやナイフ等を使用しなくとも手指で簡単に開封できる手指の少ない力でも該包装体から被包装物を容易に取り出すことができるユニバーサルデザインの開封口を提供することができる。
【符号の説明】
【００５１】
１    深絞り包装容器
２    ボトムトレイ
３    ボトムフィルム
４    トップフィルム
５    ボトムフィルム端部
６    トップフィルム端部
７    ボトムフィルム未シール部
８    トップフィルム未シール部
９    シール部
１０  シール端部
１１  ボトムフィルム切込み部
１２  トップフィルム切込み部
２０  被包装物
３０  深絞り包装容器製造ライン
３１  成形金型ステーション
３２  切込み加工部
３３  成形・切込み加工後ボトムフィルム
３４  開口部
３５  フランジ部
３６  充填エリア
３７  トップフィルム供給部
４０  シール金型ステーション
５０  ノッチ
５１  ティアテープ
５２  シール縁
【図１】
0006533370.tif 000002
【図２】
0006533370.tif 000003
【図３】
0006533370.tif 000004
【図４】
0006533370.tif 000005
【図５】
0006533370.tif 000006
【図６】
0006533370.tif 000007
【図７】
0006533370.tif 000008
【図８】
0006533370.tif 000009
【図９】
0006533370.tif 000010
【図１０】
0006533370.tif 000011
【図１１】
0006533370.tif 000012
【図１２】
0006533370.tif 000013
【図１３】
0006533370.tif 000014
【図１４】
0006533370.tif 000015
【図１５】
0006533370.tif 000016